【手続補正書】
【提出日】平成19年4月3日(2007.4.3)
【手続補正１】
【補正対象書類名】特許請求の範囲
【補正対象項目名】全文
【補正方法】変更
【補正の内容】
【特許請求の範囲】
【請求項１】
ａ）長寸管状部材（４）であって、
近位端部（６）と、
遠位開放端部（７）と、
上記近位端部から流体出口まで長手方向に延在する少なくとも一本の流体チャネル（２３）と、
を備えた長寸管状部材（４）と、
ｂ）上記管状部材（４）の上記近位端部（６）に接続された洗流ユニット（５）であって、
第１内視鏡器具（２）を受容するに適した近位開放端部（８）と、
上記流体チャネル（２３）と連通された流体取入口（１６）と、
流体吐出口（１７）と、
を備えた洗流ユニット（５）とを備え、
上記管状部材および上記洗流ユニットは協働して、上記第１内視鏡器具（２）の少なくとも一部を外装するために上記洗流ユニット（５）の上記近位開放端部（８）から上記管状部材（４）の上記遠位開放端部（７）まで延在する第１内部案内通路（１０）を画成し、
上記管状部材（４）と上記洗流ユニット（５）との間の接続は、該洗流ユニット（５）に関する該管状部材（４）の軸回転を許容し、且つ、
上記管状部材（４）は更に、上記近位端部（６）の近傍の箇所（１２）から又は該近位端部（６）から該管状部材（４）の上記遠位端部（７）まで実質的に長手方向に延在する第２案内通路（１１）であって第２内視鏡器具（３）を受容かつ案内するに適した第２案内通路（１１）を備えている、
内視鏡器具（２）に適したシース・デバイス（１）。
【請求項２】
前記第２案内通路（１１）は前記管状部材（４）の前記近位端部（６）に近接して取入口（１４）を備え、該取入口（１４）は上記管状部材の外側面に配置されている、請求項１記載のデバイス。
【請求項３】
前記取入口（１４）は前記器具（３）を前記通路内へと案内するために実質的に円錐形状とされる、請求項２記載のデバイス。
【請求項４】
前記管状部材（４）は使い捨て可能（すなわち一回限りの使用）である、請求項１乃至３のいずれか一項に記載のデバイス。
【請求項５】
前記洗流ユニット（５）は使い捨て可能である、請求項１乃至４のいずれか一項に記載のデバイス。
【請求項６】
前記管状部材（４）および前記洗流ユニット（５）は相互に固定接続される、請求項１乃至５のいずれか一項に記載のデバイス。
【請求項７】
前記管状部材（４）および前記洗流ユニット（５）は相互に着脱可能に接続される、請求項１乃至５のいずれか一項に記載のデバイス。
【請求項８】
前記流体出口（１３）は前記遠位端部（７）の近傍に配置される、請求項１乃至７のいずれか一項に記載のデバイス。
【請求項９】
前記流体出口（１３）は前記遠位端部（７）内に配置される、請求項１乃至８のいずれか一項に記載のデバイス。
【請求項１０】
前記流体吐出口（１７）は、前記管状部材（４）内を長手方向に延在する内部通路を介して該管状部材（４）の前記開放遠位端部（７）と連通する、請求項１乃至９のいずれか一項に記載のデバイス。
【請求項１１】
前記内部通路は前記第１内部案内通路（１０）の一部である、請求項１０記載のデバイス。
【請求項１２】
前記案内通路（１０、１１）および前記流体チャネル（２３）は相互に対して実質的に平行に延在する、先行請求項のいずれか一項に記載のデバイス。
【請求項１３】
前記第１内部案内通路（１０）の中心線は前記管状部材（４）の中心線と一致する、先行請求項のいずれか一項に記載のデバイス。
【請求項１４】
前記第２内視鏡器具はニードル（３）から成る、請求項２乃至１３のいずれか一項に記載のデバイス。
【請求項１５】
前記第１内視鏡器具は光ファイバ・プローブから成る、請求項２乃至１４のいずれか一項に記載のデバイス。
【請求項１６】
前記管状部材（４）は、４５°または９０°などの如く、前記洗流ユニット（５）に関して０°〜３６０°の角度範囲内で回転可能である、先行請求項のいずれか一項に記載のデバイス。
【請求項１７】
前記流体取入口（１６）は、前記流体チャネル（２３）を通して前記流体出口（１３）から吐出すべく清浄水を圧流させるために水リザーバに接続される、先行請求項のいずれか一項に記載のデバイス。
【請求項１８】
前記流体吐出口（１７）は、内部器官から前記内部通路（１０）を介して廃水を排出するための水タンクに接続される、先行請求項のいずれか一項に記載のデバイス。
【請求項１９】
前記管状部材（４）は、更なる内視鏡器具のために長手方向に延在する２本もしくは３本の案内通路を備える、先行請求項のいずれか一項に記載のデバイス。
【請求項２０】
前記管状部材（４）の前記遠位端部（７）の近傍の外径は、７〜８ｍｍの如く、１０〜１５ｍｍの如く、５〜２０ｍｍである、先行請求項のいずれか一項に記載のデバイス。
【請求項２１】
前記管状部材（４）の長手方向に直交する断面は実質的に楕円形状または実質的に円形状である、先行請求項のいずれか一項に記載のデバイス。
【請求項２２】
前記管状部材（４）の長さは、１５〜３０ｃｍの如く、１０〜３５ｃｍの如く、５〜４０ｃｍである、先行請求項のいずれか一項に記載のデバイス。
【請求項２３】
前記流体チャネル（２３）および案内通路（１０、１１）の内のひとつ以上は、前記管状部材の内側部に位置された着脱可能な壁体部材により提供される、請求項２乃至２２のいずれか一項に記載のデバイス。
【請求項２４】
前記管状部材（４）の前記遠位端部（７）は、前記第２内視鏡器具の遠位端部を案内するために内方に延在する円周方向膨出部を備える、請求項２乃至２３のいずれか一項に記載のデバイス。
【請求項２５】
前記第１内視鏡器具（２）は、膀胱鏡または胃鏡または尿管鏡または切除用内視鏡または関節鏡またはテレスコープまたは閉塞具から成る、先行請求項のいずれか一項に記載のデバイス。
【請求項２６】
前記第１内視鏡器具（２）は、たとえば内部組織もしくは器官などを視認するためのカメラ・レンズを備える、請求項１乃至２４のいずれか一項に記載のデバイス。
【請求項２７】
前記レンズは使い捨て可能（一回限りの使用）である、請求項２６記載のデバイス。
【請求項２８】
前記管状部材（４）の前記遠位端部（７）は前記レンズの遠位端部を越える、請求項２６または２７に記載のデバイス。
【請求項２９】
前記洗流ユニットは、洗流をオン・オフ切換え／投入するために前記取入口および／または吐出口の近傍に位置された栓を備える、先行請求項のいずれか一項に記載のデバイス。
【請求項３０】
人間などの哺乳動物の身体の検査に使用される、請求項１乃至２９のいずれか一項に記載のデバイス。
【請求項３１】
人間などの哺乳動物の身体の手術治療に使用される、請求項１乃至２９のいずれか一項に記載のデバイス。
【請求項３２】
人間などの哺乳動物の身体の検査に対する請求項１乃至２９のいずれか一項に記載のデバイスの使用法。
【請求項３３】
人間などの哺乳動物の身体の手術治療に対する請求項１乃至２９のいずれか一項に記載のデバイスの使用法。
【請求項３４】
請求項１乃至２９のいずれか一項に記載のデバイスを使用する段階を含む、哺乳動物の身体の内部器官を治療する方法。
【請求項３５】
請求項１乃至２９のいずれか一項に記載のデバイスを使用する段階を含む、哺乳動物の身体の内部器官を検査する方法。
【請求項３６】
請求項１乃至２９のいずれか一項に記載のデバイスを使用する段階を含む、泌尿生殖器を治療する方法。
【請求項３７】
請求項１乃至２９のいずれか一項に記載のデバイスを使用する段階を含む、泌尿生殖器を検査する方法。
【請求項３８】
請求項１乃至２９のいずれか一項に記載のデバイスを使用する段階を含む、哺乳動物における咬合関節を治療する方法。
【請求項３９】
請求項１乃至２９のいずれか一項に記載のデバイスを使用する段階を含む、尿失禁を治療する方法。
【請求項４０】
請求項１乃至２９のいずれか一項に記載のデバイスを使用する段階を含む、肛門失禁を治療する方法。
【請求項４１】
請求項１乃至２９のいずれか一項に記載のデバイスを使用する段階を含む、膀胱尿管逆流現象を治療する方法。
【請求項４２】
請求項１乃至２９のいずれか一項に記載のデバイスを使用する段階を含む、逆流性食道炎を治療する方法。
【請求項４３】
請求項１乃至２９のいずれか一項に記載のデバイスを使用する段階を含む、関節炎を治療する方法。
【請求項４４】
請求項１乃至２９のいずれか一項に記載のデバイスを使用する段階を含む、腱炎を治療する方法。
【請求項４５】
請求項１乃至２９のいずれか一項に記載のデバイスを使用する段階を含む、系統的検査を実施する方法。
【請求項４６】
請求項１乃至２９のいずれか一項に記載のデバイスを使用する段階を含む、人体内に構成物質を注入する方法。
【請求項４７】
Ｉ）請求項１乃至２９のいずれか一項に記載のデバイスと、ＩＩ）人体内への注入に適した構成物質とを備えた、キット。
【請求項４８】
前記構成物質は、シリコーン；ヒアルロン酸；ポリアクリルアミドヒドロゲル；ソーヤ；変性アルギン酸塩などのアルギン酸塩；ゲランゴムなどの微生物性多糖類；カラゲナンなどの植物多糖類；ヒアルロン酸；ポリエチレンオキシド／ポリプロピレングリコールのブロック共重合体；フィブリン、コラーゲンおよびゼラチンなどの蛋白質；ポリエチレンオキシドおよびポリアクリル酸の混合物；架橋キトサン；光化学的に架橋されたエチレン性不飽和原子団；ＰＥＧ−オリゴラクチル−アクリレート、ポリエチレンミン、ポリリシン、ポリ（ビニルアミン）およびポリ（アリルアミン）などのマクロマ；から成る群から選択される、請求項４７記載のキット。
【請求項４９】
前記構成物質はポリアクリルアミドおよびその誘導体である、請求項４７記載のキット。
【請求項５０】
ポリアクリルアミドは架橋されたポリアクリルアミドである、請求項４９記載のキット。
【請求項５１】
前記架橋されたポリアクリルアミドはメチレン−ビス−アクリルアミドから調製される、請求項５０記載のキット。